【事件の表示】
　特願２０１４−６１８６号「遊技機」拒絶査定不服審判事件〔平成２６年８月１４日出願公開、特開２０１４−１４４３２６号〕について、次のとおり審決する。
【結　論】
　本件審判の請求は、成り立たない。
【理　由】
第１　手続の経緯
　本願は、平成２１年５月１日に出願された特願２００９−１１１８０６号の一部を平成２６年１月１６日に新たな特許出願としたものであって、同年１１月１３日付け拒絶理由通知に対して、平成２７年１月１９日付けで手続補正がなされ、同年６月２３日付け拒絶理由通知に対して、同年８月２５日付けで手続補正がなされたところ、平成２８年１月１３日付けで拒絶査定がなされ、これに対して、同年４月１２日に拒絶査定不服審判の請求がされるとともに、同日付けで手続補正（以下、「本件補正」という。）がなされたものである。
第２　本件補正についての補正却下の決定
［補正却下の決定の結論］
　本件補正を却下する。
［理由］
１　補正の内容
　本件補正は、明細書及び特許請求の範囲を補正するものであって、特許請求の範囲の請求項１について補正前に
（平成２７年８月２５日付け手続補正）
「【請求項１】
Ａ　始動口への入賞を契機に、遊技者に有利な特別遊技を実行するか否かの抽選を行う抽選手段と、
Ｂ　前記抽選が行われると、前記抽選結果に基づいて、複数種類の図柄が変動表示された後に停止表示される抽選演出の抽選演出パターンを複数の抽選演出パターンの中から決定する抽選演出パターン決定手段と、
Ｃ　前記抽選演出パターン決定手段によって決定された抽選演出パターンに基づく抽選演出を画像出力装置において行う演出制御手段と、備え、
Ｄ　前記抽選演出パターンには、その抽選演出パターンに基づく１回の抽選演出において前記図柄が変動表示してから停止するまでの間に、変動表示している図柄が擬似的に停止した後に再変動する再変動演出を所定回数実行する擬似連続予告を行う特定の抽選演出に対応する特定の抽選演出パターンがあり、
Ｅ　前記特定の抽選演出パターンには、前記再変動演出の実行回数が異なる複数種類の特定の抽選演出パターンがあり、
Ｆ　前記演出制御手段は、前記特定の抽選演出パターンに決定された場合、前記再変動演出において、前記擬似連続予告が継続することを示唆する特定図柄を擬似的に停止させ、該特定図柄を擬似的に停止させた後に、前記特定図柄とは異なる態様の画像の表示を伴い、前記再変動演出が実行された回数を示唆する特別演出を行い、該特別演出の後に前記特定図柄を再変動させ、
Ｇ　前記再変動演出が実行された回数に応じて、前記特別演出の演出態様が発展する一方、前記再変動演出が実行された回数に関わらず、前記特定図柄の演出態様は一定であることを特徴とする遊技機。」
とあったものを、
（本件補正である平成２８年４月１２日付け手続補正）
「【請求項１】
Ａ　始動口への入賞を契機に、遊技者に有利な特別遊技を実行するか否かの抽選を行う抽選手段と、
Ｂ　前記抽選が行われると、
複数の表示領域の各々において該抽選の結果を表示するための
を
開始させ
、該複数の表示領域の各々に該複数種類の図柄のうち何れかの図柄を停止させることにより該抽選の結果に基づく図柄の組合せを変動
させる変動
変動
、
変動
変動
Ｃ　前記
変動
変動
変動
Ｄ　前記
変動
変動
変動
変
開始
変動
該
開始した
を
前記複数の表示領域において
させ
該複数の表示領域に停止させた図柄を
させる
特
変動
Ｅ　前記特定の
変動
前記擬似連続予告において実行される
変動
Ｆ１　前記演出制御手段は、前記特定の
変動
が
前記図柄を前記複数の表示領域のうち最終停止表示領域以外の表示領域に擬似的に停止させた後に、
図柄であって前記複数種類の図柄とは異なる
前記最終停止表示領域に
ることで、前記擬似連続予告の継続が確定したことを表示した後、前記複数の表示領域において前記図柄を再変動させ、
Ｆ２　
前記擬似連続予告の継続が確定したことを表示した後には、前記特定図柄とは異なる態様であって前記再変動演出が実行された回数を示唆する特別画像を表示させ、
Ｇ　前記再変動演出が実行された回数に応じて、前記特別
画像
表示
表示
と補正することを含むものである（下線部は補正箇所を示す。記号Ａ〜Ｇは、分説するため当審で付した。）。
２　補正の適否
（１）補正事項
　本件補正のうち特許請求の範囲の請求項１についてする補正は、以下の補正事項を含むものである。
　補正前に構成Ｆにおいて、
「前記演出制御手段は、前記特定の抽選演出パターンに決定された場合、前記再変動演出において、前記擬似連続予告が継続することを示唆する特定図柄を擬似的に停止させ、該特定図柄を擬似的に停止させた後に、前記特定図柄とは異なる態様の画像の表示を伴い、前記再変動演出が実行された回数を示唆する特別演出を行い、該特別演出の後に前記特定図柄を再変動させ、」
とあったものを、補正後に構成Ｆ１及びＦ２において、
「前記演出制御手段は、前記特定の
変動
が
前記図柄を前記複数の表示領域のうち最終停止表示領域以外の表示領域に擬似的に停止させた後に、
図柄であって前記複数種類の図柄とは異なる
前記最終停止表示領域に
ることで、前記擬似連続予告の継続が確定したことを表示した後、前記複数の表示領域において前記図柄を再変動させ
　
前記擬似連続予告の継続が確定したことを表示した後には、前記特定図柄とは異なる態様であって前記再変動演出が実行された回数を示唆する特別画像を表示させ、
とする補正事項。
（２）補正の目的
　上記補正事項において、補正前の請求項１には、請求項１に係る発明を特定するために必要な事項である「前記特定図柄」の「再変動」に関して、「該特別演出の後に」との限定が付されていた。そして、本件補正により、補正前の「特別演出」、「前記特定図柄を再変動させ」は、それぞれ「特別画像」、「前記図柄を再変動させ」と補正されたところ、補正後には、「前記図柄」の「再変動」に関して、補正前の「該特別演出の後に」に対応する「該特別画像の表示の後に」との特定はなされていない。そうすると、上記補正事項は、補正前の請求項１に係る発明を特定するために必要な事項である「前記特定図柄」の「再変動」に関して、「該特別演出の後に」との限定を削除することを実質的に含むものであり、特別演出（特別画像の表示）と同時かその前に特定図柄の再変動を行うものを含むものとなったから、特許請求の範囲を拡張するものであって、特許請求の範囲の減縮を目的とするものとはいえない。
　また、補正前の「該特定演出の後に前記特定図柄を再変動させ」との記載は誤記でも不明瞭でもないから、上記補正事項は、誤記の訂正や明瞭でない記載の釈明を目的とするものでもなく、また、請求項の削除を目的とするものでないことも明らかである。
　そうすると、上記補正事項は、特許法第１７条の２第５項に掲げるいずれの事項を目的とするものでもない。
（３）小括
　したがって、本件補正は、特許法第１７条の２第５項の規定に違反するから、同法第１５９条第１項の規定において準用する同法第５３条第１項の規定により却下すべきものである。
３　独立特許要件
　上記のとおり、本件補正は却下すべきものであるが、仮に本件補正が特許請求の範囲の減縮を目的とするものであって特許法第１７条第５項の規定に適合するものとして、本件補正後の請求項１に係る発明（以下、「本願補正発明」という。）が特許出願の際に独立して特許を受けることができるものであるか、すなわち、特許法第１７条の２第６項において準用する同法第１２６条第７項の規定に適合するかについても、以下に補足的に検討する。
（１）引用文献
（１−１）引用文献１
　原査定の拒絶の理由に引用された、本願の原出願の出願前に頒布された刊行物である特開２００１−６８０号公報（以下、「引用文献１」という。）には、図面とともに以下の事項が記載されている（下線は当審で付した。）。
（１−ア）
「【請求項１】表示状態が変化可能な可変表示装置を有し、当該
可変表示装置に表示される識別情報の表示結果があらかじめ定められた特定の表示態様となった場合、遊技に際して遊技者側に有利となる特定遊技状態を発生させる
前記
可変表示装置に表示される識別情報の表示過程および表示結果を決定するための抽選を行う抽選手段
前記抽選手段による抽選結果に基づいて、識別情報の最終的な表示結果である最終表示態様を決定する最終表示態様決定手段と、
前記最終表示態様決定手段によって決定された
最終表示態様で識別情報を停止させるまでの間、当該識別情報を所定の表示態様でいったん仮停止した後、再び変動表示を行う再変動表示を所定数回実行する再変動表示実行手段
前記再変動表示実行手段によって再変動表示が実行される際、前記抽選手段の抽選結果に基づいて、特定遊技状態となる可能性の程度に対応付けられた期待値を表示する期待値表示手段と、
を備えることを特徴とする
遊技機
（１−イ）
「【００３２】遊技領域１３のほぼ中央位置には、特別図柄表示装置６が配置されており、特別図柄表示装置６で行われる特図ゲームによってパチンコ遊技機１における遊技興趣が高められている。
特別図柄表示装置６は、
特図ゲームに伴う
キャラクタ画像、変動図柄などを表示する
【００３３】本実施例におけるパチンコ遊技機の
特別図柄としては、
１６個の表示図柄
が用意されている
（１−ウ）
「【００４７】
特別図柄表示装置６における特図ゲームは、
特別図柄表示領域６ａ，６ｂ，６ｃに表示される、「左図柄」、「中図柄」、「右図柄」の各表示図柄がそれぞれ変動表示を開始する。変動表示を開始してから所定時間
経過後、「左図柄」、「右図柄」、「中図柄」の順にそれぞれ変動を停止する
（１−エ）
「【００７８】図６は、表示制御部におけるシステム構成例を示すブロック図である。表示制御部５００は、表示制御基板内に設けられた各種回路から構成され、遊技制御部２００とは独立して特図ゲームにおける画像処理のための表示制御を行うものである。
表示制御部５００は、
特図ゲームに用いられる画像を特別図柄表示装置６上に表示する
（１−オ）
「【０１１２】本実施例で用いる乱数は、普通図柄判定用乱数Ｒ１、
特別図柄判定用乱数Ｒ２、大当たり図柄判定用乱数ＲＴ、
特別図柄左用乱数ＲＬ、特別図柄中用乱数ＲＣ、特別図柄右用乱数ＲＲ、リーチ判定用乱数ＲＨ、仮停止判定用乱数ＲＳ、再変動回数判定用乱数ＲＮ
これらの乱数を
遊技球の入賞タイミングに合わせて取得する
抽選手段
・・・・・
【０１１４】同様にして、
特別図柄判定用乱数Ｒ２は、特図ゲームにおいて大当たりとするか否かを判定するためのランダム変数
・・・・・
【０１１８】リーチ判定用乱数ＲＨは、リーチ状態となったときの演出パターンを判定するためのランダム変数であり、“０”〜“９９”の範囲で、リセット割り込み（２ミリ秒）ごと、および、図１０のステップＳ１１５に示す残時間処理中に１ずつ加算していき、“９９”の次に“０”に戻るような構成となっている。
リーチ判定用乱数ＲＨは、
リーチパターンを選択するために使用する
・・・・・
【０１２０】すなわち、
特別図柄判定用乱数Ｒ２が当たり値である場合
特別図柄判定用乱数Ｒ２がハズレである場合
【０１２１】仮停止判定用乱数ＲＳは、いったんハズレ図柄で停止した後に再変動表示を行うか否かを判定するためのランダム変数であり、“０”〜“１６５”の範囲で、リセット割り込み（２ミリ秒）ごと、および、図１０のステップＳ１１５に示す残時間処理中に１ずつ加算していき、“１６５”の次に“０”に戻るような構成となっている。
仮停止判定用乱数ＲＳは、
仮停止の有無を選択するために使用する
・・・・・
【０１２３】すなわち、
特別図柄判定用乱数Ｒ２が当たり値である場合
２分の１の確率で仮停止からの再変動表示を行うものと判定し
特別図柄判定用乱数Ｒ２がハズレ値である場合、１６６分の１の確率で仮停止からの再変動表示を行う
【０１２４】再変動回数判定用乱数ＲＮは、再変動表示を行う際の再変動回数を判定するためのランダム変数であり、“０”〜“９９”の範囲で、リセット割り込み（２ミリ秒）ごと、および、図１０のステップＳ１１５に示す残時間処理中に１ずつ加算していき、“９９”の次に“０”に戻るような構成となっている。
再変動回数判定用乱数ＲＮは、
再変動表示の回数を選択するために使用する
・・・・・
【０１２６】すなわち、前述したように、低確率時に再変動表示を行う確率は、１２５分の１であり、再変動回数が１回の場合の大当たり期待度は約１パーセント（９１分の１）、同様にして、２回の場合の大当たり期待度は約１０パーセント（１０分の１）、３回の場合の期待度は約３０パーセント（３．３０分の１）、４回の場合の期待度は約５０パーセント（２．０２分の５０）、５回の場合の期待度は１００パーセント（１分の１）となっている。
【０１２７】一方、高確率時に再変動表示を行う確率は、２０７５分の３３であり、再変動回数が１回の場合の大当たり期待度は約５．３４パーセント（１８．７１１分の１）、同様にして、２回の場合の大当たり期待度は約３６．０９パーセント（２．７７１分の１）、３回の場合の期待度は約６８．８２パーセント（１．４５３分の１）、４回の場合の期待度は約８３．２６パーセント（１．２０１分の１）、５回の場合の期待度は１００パーセント（１分の１）となっている。このように、本実施例では、
再変動表示の回数の増加に合わせて大当たりとなる期待度も高くなるように設定されている
（１−カ）
「【０１４１】特図ゲームでは、
遊技球が特別図柄始動口５を通過したとき、特別図柄判定用乱数Ｒ２
大当たり図柄判定用乱数ＲＴ
特別図柄左用乱数ＲＬ、特別図柄中用乱数ＲＣ、特別図柄右用乱数ＲＲ
（１−キ）
「【０１５２】特別図柄判定用乱数Ｒ２の値がハズレの場合、［表３］に示す再変動振り分けテーブルデータにより、
再変動回数判定用乱数ＲＮの値
再変動表示を１回行い
再変動表示を２回行い
再変動表示を３回行い
再変動表示を４回行う
【０１５３】一方、特別図柄判定用乱数Ｒ２の値が大当たりの場合、［表３］に示す再変動振り分けテーブルデータにより、
再変動回数判定用乱数ＲＮの値
再変動表示を１回行い
再変動表示を２回行い
再変動表示を４回行い
再変動表示を５回行う
【０１５４】
再変動回数が１回の場合、特別図柄左図柄は
変動開始から４．６秒間加速した後
停止する
特別図柄右図柄は
変動開始から５．７秒間加速した後
停止する
特別図柄中図柄は
変動開始から６．８秒間加速した後
停止する
【０１５５】そして、特別図柄中図柄が停止してから０．５秒以内に、再び
特別図柄左図柄は
再変動開始
特別図柄右図柄は
再変動開始
特別図柄中図柄は
再変動開始か
【０１５６】再
変動回数が２〜５回の場合も同様に、図１８に示す変動パターンを繰り返すことにより再変動表示を行う。
（１−ク）
「【０１６３】（第１実施例の第１変形例）前述の第１実施例では、再変動表示を行う際に大当たりとなる期待度を表示するため、特別図柄表示装置６の表示領域中に期待値ゲージ６ｇを表示する場合を例に採り説明したが、本変形例では、特別図柄表示装置６における表示領域内の背景に、特定のキャラクタ画像を表示することにより、同様の効果を得るようにしたものである。これによって、本変形例における表示制御部５００は、キャラクタ画像表示手段としての機能を実現している。
【０１６４】図２０は、図１９に代わる再変動表示が行われる場合の特別図柄表示装置における表示例を示す図である。本実施例のパチンコ遊技機１では、再変動表示を行う際に大当たりとなる期待度を示すため、図２１に示すようなキャラクタ画像を表示する。このため、特別図柄表示装置６の表示領域中には、特別図柄表示領域６ａ，６ｂ，６ｃ以外の背景領域にキャラクタ画像６ｈａを表示する。
【０１６５】図２１は、再変動回数に対応して表示されるキャラクタ画像例（成長パターン）を示す図である。キャラクタ画像６ｈは、表示制御部５００内のキャラクタＲＯＭ５０７内にあらかじめ格納されており、１つのキャラクタが５段階に成長する過程を画像データとして格納している。すなわち、本変形例では、
再変動表示が行われるごとに１段階ずつキャラクタが成長し、成長したキャラクタ画像６ｈが表示される
再変動回数が１回の場合、仮停止後にキャラクタ画像６ｈａから１段階分成長したキャラクタ画像６ｈｂを表示する
再変動回数が増え、仮停止後に、
１段階分ずつ成長したキャラクタ画像６ｈｂ〜６ｈｆを表示するようになっている
（１−ケ）
「【０１６７】
図２２
キャラクタ画像例
５種類の異なるキャラクタ画像６ｈ１〜６ｈ５を用意する
各キャラクタ画像６ｈ１〜６ｈ５を再変動表示回数と対応させ、対応するキャラクタ画像６ｈ１〜６ｈ５を再変動表示が行われる前に表示させる
これによって、再変動表示の予告
の報知を行うことができる
（１−コ）
「【０１７０】
図２３
再変動表示の際の画像表示例
最初に再変動表示が行われる際、仮停止の状態において５体のキャラクタ画像が表示されている
（１−サ）
　上記（１−ア）の【請求項１】には、「表示状態が変化可能な可変表示装置を有し、当該
可変表示装置に表示される識別情報の表示結果があらかじめ定められた特定の表示態様となった場合、遊技に際して遊技者側に有利となる特定遊技状態を発生させる
可変表示装置に表示される識別情報の
表示結果を決定するための抽選を行う抽選手段
　また、上記（１−カ）の段落【０１４１】には、「特図ゲームでは、
遊技球が特別図柄始動口５を通過したとき、特別図柄判定用乱数Ｒ２
大当たり図柄判定用乱数ＲＴ
特別図柄左用乱数ＲＬ、特別図柄中用乱数ＲＣ、特別図柄右用乱数ＲＲ
　そして、上記（１−オ）の段落【０１１２】には、「本実施例で用いる乱数は、普通図柄判定用乱数Ｒ１、
特別図柄判定用乱数Ｒ２、大当たり図柄判定用乱数ＲＴ、
特別図柄左用乱数ＲＬ、特別図柄中用乱数ＲＣ、特別図柄右用乱数ＲＲ
抽選手段
　以上のことから、引用文献１には、「
遊技球が特別図柄始動口５を通過したとき、可変表示装置に表示される識別情報の表示結果であって、あらかじめ定められた特定の表示態様となった場合、遊技に際して遊技者側に有利となる特定遊技状態を発生させるものである識別情報の表示結果を決定するための抽選を行う抽選手段
（１−シ）
（１−シ−１）
　上記（１−ウ）の段落【００４７】には、「
特別図柄表示装置６における特図ゲームは、
特別図柄表示領域６ａ，６ｂ，６ｃに表示される、「左図柄」、「中図柄」、「右図柄」の各表示図柄がそれぞれ変動表示を開始する。変動表示を開始してから所定時間
経過後、「左図柄」、「右図柄」、「中図柄」の順にそれぞれ変動を停止する
　また、上記（１−イ）の段落【００３３】には、「実施例におけるパチンコ遊技機の
特別図柄としては、
１６個の表示図柄
が用意されている
　そうすると、引用文献１には、「
特別図柄表示領域６ａ，６ｂ，６ｃに表示される「左図柄」、「中図柄」、「右図柄」の、特別図柄として１６個用意されている各表示図柄がそれぞれ変動表示を開始し、変動表示を開始してから所定時間経過後、「左図柄」、「右図柄」、「中図柄」の順にそれぞれ変動を停止する、特別図柄表示装置６における特図ゲーム
（１−シ−２）
　上記（１−ア）の【請求項１】には、「前記
可変表示装置に表示される識別情報の表示過程
を決定するための抽選を行う抽選手段
　また、上記（１−オ）の段落【０１１２】には、「本実施例で用いる乱数は、普通図柄判定用乱数Ｒ１、特別図柄判定用乱数Ｒ２、大当たり図柄判定用乱数ＲＴ、普通図柄用乱数ＲＦ、特別図柄左用乱数ＲＬ、特別図柄中用乱数ＲＣ、特別図柄右用乱数ＲＲ、
リーチ判定用乱数ＲＨ、仮停止判定用乱数ＲＳ、再変動回数判定用乱数ＲＮ
これらの乱数を
遊技球の入賞タイミングに合わせて取得する
抽選手段
　そして、同段落【０１１８】には、「
リーチ判定用乱数ＲＨは、
リーチパターンを選択するために使用する
仮停止判定用乱数ＲＳは、
仮停止の有無を選択するために使用する
再変動回数判定用乱数ＲＮは、
再変動表示の回数を選択するために使用する
　以上のことから、引用文献１には、「
リーチパターンを選択するために使用するリーチ判定用乱数ＲＨ、仮停止の有無を選択するために使用する仮停止判定用乱数ＲＳ、再変動表示の回数を選択するために使用する再変動回数判定用乱数ＲＮを遊技球の入賞タイミングに合わせて取得し、可変表示装置に表示される識別情報の表示過程を決定するための抽選を行う抽選手段
（１−シ−３）
　上記（１−シ−２）における「可変表示装置」、「識別情報」は、それぞれ（１−シ−１）における「特別図柄表示装置６」、「特別図柄」と同じことを意味することが明らかであるから、（１−シ−２）における「可変表示装置に表示される識別情報の表示過程」は、（１−シ−１）における「特別図柄表示装置６における特図ゲーム」の表示過程のことであるといえる。
　また、上記（１−シ−２）における、「リーチ判定用乱数ＲＨ」によるリーチパターンの選択と、「仮停止判定用乱数ＲＳ」による仮停止の有無の選択と、「再変動回数判定用乱数ＲＮ」による再変動表示の回数の選択は、特図ゲームにおいて大当たりとするか否かを判定するためのランダム変数である特別図柄判定用乱数Ｒ２が当たり値であるかハズレ値であるかに基づいて行われるから（引用文献１の段落【０１１４】、【０１２０】、【０１２３】、【０１２７】を参照。）、上記（１−サ）の検討も踏まえると、「識別情報の表示過程を決定するための抽選」は、「
識別情報の表示結果を決定するための抽選が行われると、その抽選結果に基づいて
　そうすると、上記（１−シ−１）及び（１−シ−２）により、引用文献１には、「
リーチパターンを選択するために使用するリーチ判定用乱数ＲＨ、仮停止の有無を選択するために使用する仮停止判定用乱数ＲＳ、再変動表示の回数を選択するために使用する再変動回数判定用乱数ＲＮを遊技球の入賞タイミングに合わせて取得し、前記識別情報の表示結果を決定するための抽選が行われると、その抽選結果に基づいて、特別図柄表示領域６ａ，６ｂ，６ｃに表示される「左図柄」、「中図柄」、「右図柄」の、特別図柄として１６個用意されている各表示図柄がそれぞれ変動表示を開始し、変動表示を開始してから所定時間経過後、「左図柄」、「右図柄」、「中図柄」の順にそれぞれ変動を停止する、特別図柄表示装置６における特図ゲームの表示過程を決定するための抽選を行う抽選手段
（１−ス）
　上記（１−キ）の段落【０１５４】には、「
再変動回数が１回の場合、特別図柄左図柄は
変動開始から４．６秒間加速した後
停止する
特別図柄右図柄は
変動開始から５．７秒間加速した後
停止する
特別図柄中図柄は
変動開始から６．８秒間加速した後
停止する
特別図柄中図柄が停止してから
特別図柄左図柄は
再変動開始
特別図柄右図柄は
再変動開始
特別図柄中図柄は
再変動開始か
再変動回数が２〜５回の場合も同様に、
変動パターンを繰り返すことにより再変動表示を行う。
　また、上記（１−イ）の段落【００３２】には、「
特別図柄表示装置６は、
特図ゲームに伴う
変動図柄などを表示する
表示制御部５００は、
特図ゲームに用いられる画像を特別図柄表示装置６上に表示する
　そうすると、引用文献１には、「
前記表示制御部５００は、特別図柄左図柄及び特別図柄右図柄を停止した後に特別図柄中図柄を停止させ、特別図柄中図柄が停止してから、特別図柄左図柄、特別図柄右図柄及び特別図柄中図柄を再変動開始する再変動表示を行う
　上記（１−ア）〜（１−コ）の記載事項及び（１−サ）〜（１−ス）の認定事項を総合すると、引用文献１には、次の発明（以下、「引用発明」という。）が記載されていると認められる（記号ａ〜ｇは、本願補正発明の記号Ａ〜Ｇに対応させて付した。）。
「ａ　遊技球が特別図柄始動口５を通過したとき、可変表示装置に表示される識別情報の表示結果であって、あらかじめ定められた特定の表示態様となった場合、遊技に際して遊技者側に有利となる特定遊技状態を発生させるものである識別情報の表示結果を決定するための抽選を行い、（１−サ）
ｂ　リーチパターンを選択するために使用するリーチ判定用乱数ＲＨ、仮停止の有無を選択するために使用する仮停止判定用乱数ＲＳ、再変動表示の回数を選択するために使用する再変動回数判定用乱数ＲＮを遊技球の入賞タイミングに合わせて取得し、前記識別情報の表示結果を決定するための抽選が行われると、その抽選結果に基づいて、特別図柄表示領域６ａ，６ｂ，６ｃに表示される「左図柄」、「中図柄」、「右図柄」の、特別図柄として１６個用意されている各表示図柄がそれぞれ変動表示を開始し、変動表示を開始してから所定時間経過後、「左図柄」、「右図柄」、「中図柄」の順にそれぞれ変動を停止する、特別図柄表示装置６における特図ゲームの表示過程を決定するための抽選を行う抽選手段と、（１−シ）
ｃ　特図ゲームに伴うキャラクタ画像、変動図柄などを特別図柄表示装置６上に表示する表示制御部５００と、（【００３２】、【００７８】）
ｄ　最終表示態様で特別図柄左図柄、特別図柄右図柄及び特別図柄中図柄を停止させるまでの間、当該特別図柄左図柄、特別図柄右図柄及び特別図柄中図柄を所定の表示態様でいったん仮停止した後、再び変動表示を行う再変動表示を所定数回実行する再変動表示実行手段と、を備え、（【請求項１】、【０１５４】〜【０１５６】）
ｅ　再変動回数判定用乱数ＲＮの値に応じて、再変動表示を１〜５回行い、（【０１５２】、【０１５３】）
ｆ１　前記表示制御部５００は、特別図柄左図柄及び特別図柄右図柄を停止した後に特別図柄中図柄を停止させ、特別図柄中図柄が停止してから、特別図柄左図柄、特別図柄右図柄及び特別図柄中図柄を再変動開始する再変動表示を行い、（１−ス）
ｆ２　再変動回数が１回の場合、仮停止後にキャラクタ画像６ｈａから１段階分成長したキャラクタ画像６ｈｂを表示し、再変動回数が増えると、仮停止後に１段階分ずつ成長したキャラクタ画像６ｈｂ〜６ｈｆを表示するようになっており、（【０１６５】）
ｇ　再変動表示が行われるごとに表示されるキャラクタ画像６ｈが１段階ずつ成長する、遊技機。（【０１６５】、【請求項１】）」
（１−２）引用文献２
　本願の原出願の出願前に頒布された刊行物である「ＣＲぱちんこ必殺仕事人III桜バージョン」，パチンコ必勝ガイド　パチンコ年鑑２００９，株式会社白夜書房，平成２１年１月２５日，第２１巻，第３号，ｐ．８２−８７（以下、「引用文献２」という。）には、以下の事項が記載されている。
（２−ア）
　第８２頁の「連続すべり予告」の欄には、「右図柄がスベった後、中出目に主水が停止すると疑似連に突入。連続するにつれ変化していく炎の色によって信頼度が変化する。虹なら大当り確定だ。」と記載されている。
（２−イ）
　第８２頁の「連続すべり予告」には、５つの図が矢印を間に挟んで並べて記載されており、矢印の順番に従い左上の図から順に図１〜図５とすると、
　図１には、左出目に「六」、左部に「右出目にすべりが発生」と表示されており、
　図２には、左出目に「六」、右出目に「三」、中出目に主水の顔、右部に「中出目に主水が停止」と表示されており、
　図３には、左出目に「六」、右出目に「三」、中出目に主水の顔、背景に青色の炎が表示されており、
　図４には、左出目に「八」、右出目に「三」、中出目に主水の顔、背景に黄色の炎が表示されており、
　図５には、左出目に「九」、右出目に「仕」、中出目に主水の顔、背景に赤色の炎が表示されており、
　図４及び図５の左部に「継続するたびに炎の色が変化」と表示されている。
（２−ウ）
　上記（２−ア）の「右図柄がスベった後、中出目に主水が停止すると疑似連に突入。」との記載から、上記（２−イ）の図１〜２は、左出目に「六」が停止した後、右出目に右図柄がスベって「三」が停止し、その後中出目に主水の顔の図柄が停止する様子を示したものといえる。
　また、上記（２−ア）の「中出目に主水が停止すると疑似連に突入。」、「連続するにつれ変化していく炎の色によって信頼度が変化する。」との記載から、上記（２−イ）の図３〜５は、それぞれ疑似連（疑似連続予告）における再変動の回数に対応する擬似的な停止の状態を表すものであり、各図における中出目は主水の顔の図柄という点で図柄の表示態様が一定であるとともに、数字又は文字で表される他の図柄とは異なるものであり、中出目に主水の顔の図柄が停止するたびに再変動が繰り返されているから、主水の顔の図柄は、疑似連続予告が継続することを示唆する図柄であって、当該図柄を中出目に停止させることにより、疑似連続予告の継続が確定したことを表示するものであるといえる。
　また、上記（２−イ）の図３〜図５の背景の炎は、中出目の主水の顔の図柄とは異なる態様であるとともに、上記（２−ア）の「連続するにつれ変化していく炎の色」との記載から、その色により再変動の回数を示唆するものといえる。
　そして、引用文献２には、そのタイトルに「ＣＲぱちんこ」という記載が含まれているから、引用文献２は、ＣＲぱちんこ機に関するものであるといえる。
　以上のことから、引用文献２には、次の技術的事項が記載されていると認められる。
「左出目及び右出目に図柄を停止させた後に中出目に擬似的に停止させる図柄を、疑似連続予告が継続することを示唆する図柄であって他の図柄とは異なる主水の顔の図柄とし、当該図柄を中出目に擬似的に停止させることで、前記擬似連続予告の継続が確定したことを表示し、再変動の回数に関わらず主水の顔の図柄という点で当該図柄の表示態様は一定であり、中出目に当該図柄を表示するとともに、当該図柄とは異なる態様であって再変動の回数を示唆する背景の炎を表示するＣＲぱちんこ機。」
（２）対比
　本願補正発明と引用発明とを対比する（対比にあたっては、本願補正発明の構成Ａ〜Ｇと引用発明の構成ａ〜ｇについて、それぞれ（ａ）〜（ｇ）の見出しを付けて行った。）。
（ａ）引用発明の「遊技球が特別図柄始動口５を通過」すること、「遊技に際して遊技者側に有利となる特定遊技状態を発生させる」ことは、それぞれ本願補正発明の「始動口への入賞」、「遊技者に有利な特別遊技を実行する」ことに相当する。
　そして、引用発明の「識別情報の表示結果」は、「あらかじめ定められた特定の表示態様となった場合、遊技に際して遊技者側に有利となる特定遊技状態を発生させるもの」であるから、「識別情報の表示結果を決定するための抽選を行うこと」は、「遊技に際して遊技者側に有利となる特定遊技状態を発生させるか否かの抽選を行うこと」であるといえる。
　そうすると、引用発明の「遊技球が特別図柄始動口５を通過したとき、可変表示装置に表示される識別情報の表示結果であって、あらかじめ定められた特定の表示態様となった場合、遊技に際して遊技者側に有利となる特定遊技状態を発生させるものである識別情報の表示結果を決定するための抽選を行」う「抽選手段」は、
　本願補正発明の「始動口への入賞を契機に、遊技者に有利な特別遊技を実行するか否かの抽選を行う抽選手段」に相当する。
（ｂ）上記（ａ）の検討より、引用発明の「前記識別情報の表示結果を決定するための抽選が行われると」は、本願補正発明の「前記抽選が行われると」に相当する。
　また、引用発明の「特別図柄表示領域６ａ，６ｂ，６ｃ」は、それぞれ「左図柄」、「中図柄」、「右図柄」の各表示図柄を表示するものであるから、本願補正発明の「複数の表示領域」に相当する。
　そして、引用発明の「「左図柄」、「中図柄」、「右図柄」の、特別図柄として１６個用意されている各表示図柄」は、「識別情報の表示結果を決定するための抽選」（引用発明の構成ａを参照。）の結果を表示するものであることは明らかであるから、本願補正発明の「該抽選の結果を表示するための複数種類の図柄」に相当する。
　また、引用発明の「変動表示を開始してから所定時間経過後」は、本願補正発明の「変動開始させた後」に相当する。
　そして、引用発明の「「左図柄」、「右図柄」、「中図柄」の順にそれぞれ変動を停止する」ことは、「変動を停止」すれば「特別図柄として１６個用意されている」「表示図柄」の何れかが停止表示されることは明らかであるし、「左図柄」、「右図柄」、「中図柄」という３つの図柄の変動を停止することから、「図柄の組合せを変動停止する」ものといえるから、本願補正発明の「該複数の表示領域の各々に該複数種類の図柄のうち何れかの図柄を停止させることにより該抽選の結果に基づく図柄の組合せを変動停止させる」ことに相当する。
　さらに、引用発明の「特別図柄表示装置６における特図ゲーム」は、「左図柄」、「中図柄」、「右図柄」の各表示図柄を変動表示して停止させるものであるから、本願補正発明の「変動演出」に相当する。
　そして、引用発明の「特別図柄表示装置６における特図ゲームの表示過程を決定するための抽選」は、「リーチパターンを選択するために使用するリーチ判定用乱数ＲＨ、仮停止の有無を選択するために使用する仮停止判定用乱数ＲＳ、再変動表示の回数を選択するために使用する再変動回数判定用乱数ＲＮ」を取得して行われるものであるところ、リーチパターン、仮停止の有無及び再変動表示の回数の選択の組合せにより決定される「表示過程」は、「変動演出パターン」ということができるから、引用発明の「特別図柄表示装置６における特図ゲームの表示過程を決定するための抽選」を行うことは、本願補正発明の「変動演出の変動演出パターンを、複数の変動演出パターンの中から決定する」ことに相当する。
　以上のことから、引用発明の「リーチパターンを選択するために使用するリーチ判定用乱数ＲＨ、仮停止の有無を選択するために使用する仮停止判定用乱数ＲＳ、再変動表示の回数を選択するために使用する再変動回数判定用乱数ＲＮを遊技球の入賞タイミングに合わせて取得し、前記識別情報の表示結果を決定するための抽選が行われると、その抽選結果に基づいて、特別図柄表示領域６ａ，６ｂ，６ｃに表示される「左図柄」、「中図柄」、「右図柄」の、特別図柄として１６個用意されている各表示図柄がそれぞれ変動表示を開始し、変動表示を開始してから所定時間経過後、「左図柄」、「右図柄」、「中図柄」の順にそれぞれ変動を停止する、特別図柄表示装置６における特図ゲームの表示過程を決定するための抽選を行う抽選手段」は、
　本願補正発明の「前記抽選が行われると、複数の表示領域の各々において該抽選の結果を表示するための複数種類の図柄を変動開始させた後、該複数の表示領域の各々に該複数種類の図柄のうち何れかの図柄を停止させることにより該抽選の結果に基づく図柄の組合せを変動停止させる変動演出の変動演出パターンを、複数の変動演出パターンの中から決定する変動演出パターン決定手段」に相当する。
（ｃ）引用発明の「特別図柄表示装置６」は、本願補正発明の「画像出力装置」に相当する。
　また、引用発明の「特図ゲームに伴うキャラクタ画像、変動図柄など」の表示は、「抽選手段」により決定された「特別図柄表示装置６における特図ゲームの表示過程」に基づき行われることが明らかであるから（引用発明の構成ｂ及びｆ２を参照。）、本願補正発明の「前記変動演出パターン決定手段によって決定された変動演出パターンに基づく変動演出」に相当する。
　そうすると、引用発明の「特図ゲームに伴うキャラクタ画像、変動図柄などを特別図柄表示装置６上に表示する表示制御部５００」は、
　本願補正発明の「前記変動演出パターン決定手段によって決定された変動演出パターンに基づく変動演出を画像出力装置において行う演出制御手段」としての機能を備えていることは明らかである。
（ｄ）引用発明の「最終表示態様で特別図柄左図柄、特別図柄右図柄及び特別図柄中図柄を停止させるまでの間」は、その間に特別図柄の仮停止と再変動が行われることから、変動開始してからの間であることは明らかであるので、本願補正発明の「１回の変動演出において前記変動開始してから変動停止するまでの間」に相当する。
　また、引用発明の「当該特別図柄左図柄、特別図柄右図柄及び特別図柄中図柄を所定の表示態様でいったん仮停止した後」、「再び変動表示を行う」、「再変動表示」の演出は、それぞれ本願補正発明の「該変動開始した図柄を擬似的に前記複数の表示領域において停止させた後」、「該複数の表示領域に停止させた図柄を再変動させる」、「再変動演出」に相当する。
　そして、引用発明の「再変動表示を所定数回実行する」ことは、再変動表示の有無及び回数によって大当たり期待度を変化させているから（引用文献１の段落【０１２３】、【０１２７】を参照。）、「疑似連続予告」をすることといえる。
　さらに、引用発明の「再変動表示を所定数回実行する」ことは、仮停止判定用乱数ＲＳによる仮停止の有無の選択と、再変動回数判定用乱数ＲＮによる再変動表示の回数の選択に基づき決定される「変動演出パターン」の一つということができるから、本願補正発明の「特定の変動演出パターン」に相当する。
　そうすると、引用発明の「最終表示態様で特別図柄左図柄、特別図柄右図柄及び特別図柄中図柄を停止させるまでの間、当該特別図柄左図柄、特別図柄右図柄及び特別図柄中図柄を所定の表示態様でいったん仮停止した後、再び変動表示を行う再変動表示を所定数回実行する再変動表示実行手段」は、
　本願補正発明の「前記変動演出パターンには、その変動演出パターンに基づく１回の変動演出において前記変動開始してから変動停止するまでの間に、該変動開始した図柄を擬似的に前記複数の表示領域において停止させた後に該複数の表示領域に停止させた図柄を再変動させる再変動演出を所定回数実行する擬似連続予告を行う特定の変動演出パターン」を実行できることは明らかである。
（ｅ）引用発明の「再変動回数判定用乱数ＲＮの値に応じて、再変動表示を１〜５回行」うことは、再変動回数判定用乱数ＲＮの値に応じて再変動表示の回数を１〜５回の範囲で変えることであるから、上記（ｄ）の検討を踏まえると、
　本願補正発明の「前記特定の変動演出パターンには、前記擬似連続予告において実行される前記再変動演出の実行回数が異なる複数種類の特定の変動演出パターンがあ」ることに相当する。
（ｆ１）引用発明の「特別図柄左図柄及び特別図柄右図柄を停止」すること、「特別図柄左図柄、特別図柄右図柄及び特別図柄中図柄を再変動開始する」ことは、それぞれ本願補正発明の「前記図柄を前記複数の表示領域のうち最終停止表示領域以外の表示領域に擬似的に停止」すること、「前記複数の表示領域において前記図柄を再変動させ」ることに相当する。
　また、引用発明の「特別図柄中図柄」も本願補正発明の「特定図柄」も停止後に再変動するものであり「仮停止図柄」といえるから、引用発明の「特別図柄中図柄を停止させ」ることと、本願補正発明の「前記擬似連続予告が継続することを示唆する図柄であって前記複数種類の図柄とは異なる特定図柄を前記最終停止表示領域に擬似的に停止させる」こととは、「仮停止図柄を前記最終停止表示領域に擬似的に停止させ」る点で共通する。
　そして、上記（ｄ）の検討より、引用発明において「再変動表示」を行うのは、「前記特定の変動演出パターンが決定された場合」であることは明らかである。
　したがって、上記（ｃ）及び（ｄ）の検討を踏まえると、引用発明の「特別図柄左図柄及び特別図柄右図柄を停止した後に特別図柄中図柄を停止させ、特別図柄中図柄が停止してから、特別図柄左図柄、特別図柄右図柄及び特別図柄中図柄を再変動開始する再変動表示を行」う「前記表示制御部５００」と、
　本願補正発明の「前記特定の変動演出パターンが決定された場合、前記再変動演出において前記図柄を前記複数の表示領域のうち最終停止表示領域以外の表示領域に擬似的に停止させた後に、前記擬似連続予告が継続することを示唆する図柄であって前記複数種類の図柄とは異なる特定図柄を前記最終停止表示領域に擬似的に停止させることで、前記擬似連続予告の継続が確定したことを表示した後、前記複数の表示領域において前記図柄を再変動させ」る「前記演出制御手段」とは、
　「前記特定の変動演出パターンが決定された場合、前記再変動演出において前記図柄を前記複数の表示領域のうち最終停止表示領域以外の表示領域に擬似的に停止させた後に、仮停止図柄を前記最終停止表示領域に擬似的に停止させた後、前記複数の表示領域において前記図柄を再変動させ」る「前記演出制御手段」である点で共通する。
（ｆ２）本願補正発明は、「前記擬似連続予告が継続することを示唆する図柄であって前記複数種類の図柄とは異なる特定図柄を前記最終停止表示領域に擬似的に停止させることで、前記擬似連続予告の継続が確定したことを表示」するものであるから（本願補正発明の構成Ｆ１を参照。）、本願補正発明の「前記擬似連続予告の継続が確定したことを表示した後」は、「前記擬似連続予告が継続することを示唆する図柄であって前記複数種類の図柄とは異なる特定図柄を前記最終停止表示領域に擬似的に停止させた後」であるといえる。
　一方、引用発明は、「再変動回数が１回の場合、仮停止後にキャラクタ画像６ｈａから１段階分成長したキャラクタ画像６ｈｂを表示し、再変動回数が増えると、仮停止後に１段階分ずつ成長したキャラクタ画像６ｈｂ〜６ｈｆを表示するようになって」いるものであり、再変動回数応じてキャラクタ画像を成長（変化）させるものであるといえるから、引用発明の「仮停止後」は、最終停止表示領域である中図柄の仮停止後を意味することは明らかである。
　そうすると、引用発明の「仮停止後」と、本願補正発明の「前記擬似連続予告の継続が確定したことを表示した後」とは、「前記仮停止図柄を前記最終停止表示領域に擬似的に停止させた後」である点で共通する。
　また、引用発明は、再変動回数が１回の場合はキャラクタ画像６ｈａから１段階分成長したキャラクタ画像６ｈｂを表示し、再変動回数が増えると、１段階分ずつ成長したキャラクタ画像６ｈｂ〜６ｈｆを表示するようになっているものであるから、引用発明の「キャラクタ画像６ｈｂ〜６ｈｆ」は、再変動回数を示唆するものといえる。
　そして、引用発明において、仮停止図柄である中図柄は、特別図柄として１６個用意されている表示図柄（引用発明の構成ｂを参照。）のいずれかが表示されるものであるから、「キャラクタ画像６ｈｂ〜６ｈｆ」とは異なる態様であることは明らかである。
　そうすると、引用発明の「キャラクタ画像６ｈｂ〜６ｈｆ」と、本願補正発明の「前記特定図柄とは異なる態様であって前記再変動演出が実行された回数を示唆する特別画像」とは、「前記仮停止図柄とは異なる態様であって前記再変動演出が実行された回数を示唆する特別画像」である点で共通する。
　以上のことから、引用発明の「再変動回数が１回の場合、仮停止後にキャラクタ画像６ｈａから１段階分成長したキャラクタ画像６ｈｂを表示し、再変動回数が増えると、仮停止後に１段階分ずつ成長したキャラクタ画像６ｈｂ〜６ｈｆを表示するようになって」いる点と、
　本願補正発明の「前記擬似連続予告の継続が確定したことを表示した後には、前記特定図柄とは異なる態様であって前記再変動演出が実行された回数を示唆する特別画像を表示させ」る点とは、
　「前記仮停止図柄を前記最終停止表示領域に擬似的に停止させた後には、前記仮停止図柄とは異なる態様であって前記再変動演出が実行された回数を示唆する特別画像を表示させ」る点で共通する。
（ｇ）上記（ｆ２）の検討を踏まえると、引用発明の「再変動表示が行われるごとに表示されるキャラクタ画像６ｈが１段階ずつ成長する」ことは、
　本願補正発明の「前記再変動演出が実行された回数に応じて、前記特別画像の表示態様が発展する」ことに相当する。
　上記（ａ）〜（ｇ）により、本願補正発明と引用発明とは、
（一致点）
「Ａ　始動口への入賞を契機に、遊技者に有利な特別遊技を実行するか否かの抽選を行う抽選手段と、
Ｂ　前記抽選が行われると、複数の表示領域の各々において該抽選の結果を表示するための複数種類の図柄を変動開始させた後、該複数の表示領域の各々に該複数種類の図柄のうち何れかの図柄を停止させることにより該抽選の結果に基づく図柄の組合せを変動停止させる変動演出の変動演出パターンを、複数の変動演出パターンの中から決定する変動演出パターン決定手段と、
Ｃ　前記変動演出パターン決定手段によって決定された変動演出パターンに基づく変動演出を画像出力装置において行う演出制御手段と、備え、
Ｄ　前記変動演出パターンには、その変動演出パターンに基づく１回の変動演出において前記変動開始してから変動停止するまでの間に、該変動開始した図柄を擬似的に前記複数の表示領域において停止させた後に該複数の表示領域に停止させた図柄を再変動させる再変動演出を所定回数実行する擬似連続予告を行う特定の変動演出パターンがあり、
Ｅ　前記特定の変動演出パターンには、前記擬似連続予告において実行される前記再変動演出の実行回数が異なる複数種類の特定の変動演出パターンがあり、
Ｆ１’前記演出制御手段は、前記特定の変動演出パターンが決定された場合、前記再変動演出において前記図柄を前記複数の表示領域のうち最終停止表示領域以外の表示領域に擬似的に停止させた後に、仮停止図柄を前記最終停止表示領域に擬似的に停止させた後、前記複数の表示領域において前記図柄を再変動させ、
Ｆ２’ 前記仮停止図柄を前記最終停止表示領域に擬似的に停止させた後には、前記仮停止図柄とは異なる態様であって前記再変動演出が実行された回数を示唆する特別画像を表示させ、
Ｇ’前記再変動演出が実行された回数に応じて、前記特別画像の表示態様が発展する遊技機。」
である点で一致し、構成Ｆ１’、Ｆ２’、Ｇ’に関する以下の点で相違している。
（相違点１）
　「前記最終停止表示領域に擬似的に停止させ」る「仮停止図柄」について、本願補正発明では、「前記擬似連続予告が継続することを示唆する図柄であって前記複数種類の図柄とは異なる特定図柄」であるのに対して、引用発明では、「７」などの通常の図柄である点。（Ｆ１’）
（相違点２）
　本願補正発明では、「特定図柄」を最終停止表示領域に擬似的に停止させることで、「前記擬似連続予告の継続が確定したことを表示」し、「前記再変動演出が実行された回数に関わらず、前記特定図柄の表示態様は一定」であるのに対して、引用発明では、「特定図柄」に関連する上記の各構成を有しない点。（Ｆ１’、Ｆ２’、Ｇ’）
（３）判断
　まず相違点１について検討する。
　上記（２−ウ）の認定事項によれば、引用文献２には、「左出目及び右出目に図柄を停止させた後に中出目に擬似的に停止させる図柄を、疑似連続予告が継続することを示唆する図柄であって他の図柄とは異なる主水の顔の図柄とし、当該図柄を中出目に擬似的に停止させることで、前記擬似連続予告の継続が確定したことを表示し、再変動の回数に関わらず主水の顔の図柄という点で当該図柄の表示態様は一定であり、中出目に当該図柄を表示するとともに、当該図柄とは異なる態様であって再変動の回数を示唆する背景の炎を表示するＣＲぱちんこ機。」の技術的事項が記載されている。
　ここで、引用文献２の「中出目」は、左出目及び右出目に図柄を停止させた後に図柄を停止するものであるから、「最終停止表示領域」ということができ、また、引用文献２の「主水の顔の図柄」、「背景の炎」は、それぞれ本願補正発明の「特定図柄」、「特別画像」に対応するものといえる
　そうすると、本願補正発明の用語を用いて言い換えると、引用文献２には、「最終停止表示領域に擬似的に停止させる仮停止図柄を、疑似連続予告が継続することを示唆する図柄であって他の図柄とは異なる特定図柄とし、当該特定図柄を最終停止表示領域に擬似的に停止させることで、前記擬似連続予告の継続が確定したことを表示し、再変動演出が実行された回数に関わらず前記特定図柄の表示態様は一定であり、最終停止表示領域に当該特定図柄を表示するとともに、前記特定図柄とは異なる態様であって再変動演出が実行された回数を示唆する特別画像を表示する遊技機。」が記載されているといえる。
　そして、引用発明と引用文献２に記載された技術的事項とは、疑似連続予告を行う遊技機であり、最終停止表示領域に仮停止図柄を表示するとともに、当該仮停止図柄とは異なる態様であって再変動演出が実行された回数を示唆する特別画像を表示するという点で共通するものであるから、引用発明において、最終停止表示領域に擬似的に停止させる仮停止図柄として、引用文献２に記載された技術的事項における「疑似連続予告が継続することを示唆する図柄であって他の図柄とは異なる特定図柄」を採用して、相違点１に係る本願補正発明の構成とすることは、当業者が容易に想到できたことである。
　次に相違点２について検討する。
　上述のとおり、引用文献２には、特定図柄を最終停止表示領域に擬似的に停止させることで、擬似連続予告の継続が確定したことを表示し、再変動演出が実行された回数に関わらず前記特定図柄の表示態様は一定であることについても記載されている。
　そうすると、相違点１について検討したとおり、引用発明において、最終停止表示領域に擬似的に停止させる仮停止図柄として、引用文献２に記載された技術的事項における「疑似連続予告が継続することを示唆する図柄であって他の図柄とは異なる特定図柄」を採用するにあたり、当該「特定図柄」を、引用文献２に記載されたように、最終停止表示領域に擬似的に停止させることで、擬似連続予告の継続が確定したことを表示し、再変動演出が実行された回数に関わらず表示態様が一定であるものとして、相違点２に係る本願補正発明の構成とすることは、当業者が容易に想到できたことである。
　そして、本願補正発明の作用効果も、引用発明及び引用文献２に記載された技術的事項から当業者が予測できる範囲のものであり、格別顕著なものとはいえない。
　なお、請求人は審判請求書において、「また、本引用文献１に記載された発明は、図２０に示されているように、「キャラクタ画像は変動演出中に常に表示させる」という発明であるため、上記［特徴２］における、「擬似連続予告の継続が確定したことを表示した後には、特定図柄とは異なる態様であって再変動演出が実行された回数を示唆する特別画像を表示させる」こと、に相当する発明は記載されておりません。」（第８頁第８〜１２行）と主張している。
　しかしながら、引用発明は、上記（２）（ｆ２）で検討したように、再変動回数に応じてキャラクタ画像（特別画像）を成長（変化）させるものであるから、中図柄の仮停止後に成長した（変化後の）キャラクタ画像を新たに表示するものであって、単に同じキャラクタ画像を変動演出中に常に表示させるものではない。
　また、本願補正発明には、特別画像をいつまで表示させるかについての特定はないから、特別画像の表示態様が発展して新たな特別画像が表示されるまで発展前の特別画像を表示し続ける構成も含むものといえる。
　そうすると、請求人が［特徴２］という本願補正発明の構成は、相違点１及び２についての判断で示したとおり、引用発明に引用文献２に記載された技術的事項を適用することにより、当業者が容易に想到することができたものであるから、請求人の上記主張は採用することができない。
（４）まとめ
　したがって、本願補正発明は、引用発明及び引用文献２に記載された技術的事項に基づいて当業者が容易に発明をすることができたものであるから、特許法第２９条第２項の規定により、特許出願の際に独立して特許を受けることができないものである。
４　むすび
　以上のとおり、本件補正は、特許法第１７条の２第５項の規定に違反するものであり、また、仮に本件補正が特許請求の範囲の減縮を目的とするものとしたとしても、本願補正発明は、同法第２９条第２項の規定により、特許出願の際に独立して特許を受けることができないものであるから、本件補正は、同法第１７条の２第６項において準用する同法第１２６条第７項に規定する要件を満たさないものである。
　よって、本件補正は、同法第１５９条第１項において読み替えて準用する同法第５３条第１項の規定により却下すべきものである。
第３　本願発明について
１　本願発明
　本件補正は、上記のとおり却下されることとなったので、本願の請求項１〜２に係る発明は、平成２７年８月２５日付け手続補正書により補正された特許請求の範囲の請求項１〜２に記載された事項により特定されるとおりのものであるところ、その請求項１に係る発明（以下、「本願発明」という。）は、「第２［理由］１　補正の内容」に本件補正前の請求項１として記載したとおりのものである。
２　引用文献
　原査定の拒絶の理由に引用された引用文献１の記載事項及び引用発明の認定については、「第２［理由］３（１）（１−１）引用文献１」に記載したとおりである。
３　対比
　本願発明と引用発明とを対比する（対比にあたっては、本願発明の構成Ａ〜Ｇと引用発明の構成ａ〜ｇについて、それぞれ（ａ）〜（ｇ）の見出しを付けて行った。）。
（ａ）「第２［理由］３（２）（ａ）」で検討したとおり、引用発明の「遊技球が特別図柄始動口５を通過したとき、可変表示装置に表示される識別情報の表示結果であって、あらかじめ定められた特定の表示態様となった場合、遊技に際して遊技者側に有利となる特定遊技状態を発生させるものである識別情報の表示結果を決定するための抽選を行」う「抽選手段」は、
　本願発明の「始動口への入賞を契機に、遊技者に有利な特別遊技を実行するか否かの抽選を行う抽選手段」に相当する。
（ｂ）上記（ａ）の検討より、引用発明の「前記識別情報の表示結果を決定するための抽選が行われると」、「その抽選結果に基づいて」は、それぞれ本願補正発明の「前記抽選が行われると」、「前記抽選結果に基づいて」に相当する。
　また、引用発明の「特別図柄表示領域６ａ，６ｂ，６ｃに表示される「左図柄」、「中図柄」、「右図柄」の、特別図柄として１６個用意されている各表示図柄がそれぞれ変動表示を開始し、変動表示を開始してから所定時間経過後、「左図柄」、「右図柄」、「中図柄」の順にそれぞれ変動を停止する」ことは、本願発明の「複数種類の図柄が変動表示された後に停止表示される」ことに相当する。
　さらに、引用発明の「特別図柄表示装置６における特図ゲーム」は、「左図柄」、「中図柄」、「右図柄」の各表示図柄を変動表示して停止させるものであるから、本願補正発明の「抽選演出」に相当する。
　そして、引用発明の「特別図柄表示装置６における特図ゲームの表示過程を決定するための抽選」は、「リーチパターンを選択するために使用するリーチ判定用乱数ＲＨ、仮停止の有無を選択するために使用する仮停止判定用乱数ＲＳ、再変動表示の回数を選択するために使用する再変動回数判定用乱数ＲＮ」を取得して行われるものであるところ、リーチパターン、仮停止の有無及び再変動表示の回数の選択の組合せにより決定される「表示過程」は、「抽選演出パターン」ということができるから、引用発明の「特別図柄表示装置６における特図ゲームの表示過程を決定するための抽選」を行うことは、本願発明の「抽選演出の抽選演出パターンを、複数の抽選演出パターンの中から決定する」ことに相当する。
　以上のことから、引用発明の「リーチパターンを選択するために使用するリーチ判定用乱数ＲＨ、仮停止の有無を選択するために使用する仮停止判定用乱数ＲＳ、再変動表示の回数を選択するために使用する再変動回数判定用乱数ＲＮを遊技球の入賞タイミングに合わせて取得し、前記識別情報の表示結果を決定するための抽選が行われると、その抽選結果に基づいて、特別図柄表示領域６ａ，６ｂ，６ｃに表示される「左図柄」、「中図柄」、「右図柄」の、特別図柄として１６個用意されている各表示図柄がそれぞれ変動表示を開始し、変動表示を開始してから所定時間経過後、「左図柄」、「右図柄」、「中図柄」の順にそれぞれ変動を停止する、特別図柄表示装置６における特図ゲームの表示過程を決定するための抽選を行う抽選手段」は、
　本願発明の「前記抽選が行われると、前記抽選結果に基づいて、複数種類の図柄が変動表示された後に停止表示される抽選演出の抽選演出パターンを複数の抽選演出パターンの中から決定する抽選演出パターン決定手段」に相当する。
（ｃ）引用発明の「特別図柄表示装置６」は、本願発明の「画像出力装置」に相当する。
　また、引用発明の「特図ゲームに伴うキャラクタ画像、変動図柄など」の表示は、「抽選手段」により決定された「特別図柄表示装置６における特図ゲームの表示過程」に基づき行われることが明らかであるから（引用発明の構成ｂ及びｆ２を参照。）、本願発明の「前記抽選演出パターン決定手段によって決定された抽選演出パターンに基づく抽選演出」に相当する。
　そうすると、引用発明の「特図ゲームに伴うキャラクタ画像、変動図柄などを特別図柄表示装置６上に表示する表示制御部５００」は、
　本願発明の「前記抽選演出パターン決定手段によって決定された抽選演出パターンに基づく抽選演出を画像出力装置において行う演出制御手段」としての機能を備えていることは明らかである。
（ｄ）引用発明の「最終表示態様で特別図柄左図柄、特別図柄右図柄及び特別図柄中図柄を停止させるまでの間」は、その間に特別図柄の仮停止と再変動が行われることから、特別図柄を変動表示してからの間であることは明らかであるので、本願発明の「１回の抽選演出において前記図柄が変動表示してから停止するまでの間」に相当する。
　また、引用発明の「当該特別図柄左図柄、特別図柄右図柄及び特別図柄中図柄を所定の表示態様でいったん仮停止した後」、「再び変動表示を行う」、「再変動表示」の演出は、それぞれ本願発明の「変動表示している図柄が擬似的に停止した後」、「再変動する」、「再変動演出」に相当する。
　そして、引用発明の「再変動表示を所定数回実行する」ことは、再変動表示の有無及び回数によって大当たり期待度を変化させているから（引用文献１の段落【０１２３】、【０１２７】を参照。）、「疑似連続予告」をすることといえる。
　さらに、引用発明の「再変動表示を所定数回実行する」ことは、仮停止判定用乱数ＲＳによる仮停止の有無の選択と、再変動回数判定用乱数ＲＮによる再変動表示の回数の選択に基づき決定される「抽選演出パターン」の一つということができるから、本願発明の「特定の抽選演出パターン」に相当する。
　そうすると、引用発明の「最終表示態様で特別図柄左図柄、特別図柄右図柄及び特別図柄中図柄を停止させるまでの間、当該特別図柄左図柄、特別図柄右図柄及び特別図柄中図柄を所定の表示態様でいったん仮停止した後、再び変動表示を行う再変動表示を所定数回実行する再変動表示実行手段」は、
　本願発明の「前記抽選演出パターンには、その抽選演出パターンに基づく１回の抽選演出において前記図柄が変動表示してから停止するまでの間に、変動表示している図柄が擬似的に停止した後に再変動する再変動演出を所定回数実行する擬似連続予告を行う特定の抽選演出に対応する特定の抽選演出パターン」を実行できることは明らかである。
（ｅ）引用発明の「再変動回数判定用乱数ＲＮの値に応じて、再変動表示を１〜５回行」うことは、再変動回数判定用乱数ＲＮの値に応じて再変動表示の回数を１〜５回の範囲で変えることであるから、上記（ｄ）の検討を踏まえると、
　本願発明の「前記特定の抽選演出パターンには、前記再変動演出の実行回数が異なる複数種類の特定の抽選演出パターンがあ」ることに相当する。
（ｆ）引用発明の「特別図柄左図柄、特別図柄右図柄及び特別図柄中図柄」と、本願発明の「特定図柄」は、ともに停止後に再変動するものであるから、「仮停止図柄」とうことができる。
　そうすると、引用発明の「特別図柄左図柄及び特別図柄右図柄を停止した後に特別図柄中図柄を停止させ」ることは、その後に再変動表示をしているから、本願発明の「前記擬似連続予告が継続することを示唆する特定図柄を擬似的に停止させ」ることと、「仮停止図柄を擬似的に停止させ」る点で共通する。
　また、引用発明の「仮停止後」は、特別図柄左図柄、特別図柄右図柄及び特別図柄中図柄の仮停止後を意味することは明らかであるから、本願発明の「該特定図柄を擬似的に停止させた後」と、「該仮停止図柄を擬似的に停止させた後」である点で共通する。
　また、引用発明は、再変動回数が１回の場合はキャラクタ画像６ｈａから１段階分成長したキャラクタ画像６ｈｂを表示し、再変動回数が増えると、１段階分ずつ成長したキャラクタ画像６ｈｂ〜６ｈｆを表示するようになっているものであるから、引用発明の「キャラクタ画像６ｈｂ〜６ｈｆ」は、再変動回数を示唆するものといえる。
　そして、引用発明において、仮停止される特別図柄左図柄、特別図柄右図柄及び特別図柄中図柄は、特別図柄として１６個用意されている表示図柄（引用発明の構成ｂを参照。）のいずれかが表示されるものであるから、「キャラクタ画像６ｈｂ〜６ｈｆ」とは異なる態様であることは明らかである。
　そうすると、引用発明の「キャラクタ画像６ｈｂ〜６ｈｆ」の表示と、本願発明の「記特定図柄とは異なる態様の画像の表示を伴い、前記再変動演出が実行された回数を示唆する特別演出」とは、「前記仮停止図柄とは異なる態様の画像の表示を伴い、前記再変動演出が実行された回数を示唆する特別演出」である点で共通する。
　また、引用発明の「特別図柄左図柄、特別図柄右図柄及び特別図柄中図柄を再変動開始する」ことと、本願発明の「前記特定図柄を再変動させ」ることとは、「前記仮停止図柄を再変動させ」る点で共通する。
　そして、上記（ｄ）の検討より、引用発明において「再変動表示」を行うのは、「前記特定の抽選演出パターンが決定された場合」であることは明らかである。
　以上のことから、上記（ｃ）及び（ｄ）の検討を踏まえると、引用発明の「特別図柄左図柄及び特別図柄右図柄を停止した後に特別図柄中図柄を停止させ、特別図柄中図柄が停止してから、特別図柄左図柄、特別図柄右図柄及び特別図柄中図柄を再変動開始する再変動表示を行い」、「再変動回数が１回の場合、仮停止後にキャラクタ画像６ｈａから１段階分成長したキャラクタ画像６ｈｂを表示し、再変動回数が増えると、仮停止後に１段階分ずつ成長したキャラクタ画像６ｈｂ〜６ｈｆを表示するようになって」いる「表示制御部５００」と、
　本願発明の「前記特定の抽選演出パターンに決定された場合、前記再変動演出において、前記擬似連続予告が継続することを示唆する特定図柄を擬似的に停止させ、該特定図柄を擬似的に停止させた後に、前記特定図柄とは異なる態様の画像の表示を伴い、前記再変動演出が実行された回数を示唆する特別演出を行い、該特別演出の後に前記特定図柄を再変動させ」る「前記演出制御手段」とは、
　「前記特定の抽選演出パターンに決定された場合、前記再変動演出において、仮停止図柄を擬似的に停止させ、該仮停止図柄を擬似的に停止させた後に、前記仮停止図柄とは異なる態様の画像の表示を伴い、前記再変動演出が実行された回数を示唆する特別演出を行い、前記仮停止図柄を再変動させ」る「前記演出制御手段」である点で共通する。
（ｇ）上記（ｆ）の検討を踏まえると、引用発明の「再変動表示が行われるごとに表示されるキャラクタ画像６ｈが１段階ずつ成長する」ことは、
　本願発明の「前記再変動演出が実行された回数に応じて、前記特別演出の演出態様が発展する」ことに相当する。
　上記（ａ）〜（ｇ）により、本願発明と引用発明とは、
（一致点）
「Ａ　始動口への入賞を契機に、遊技者に有利な特別遊技を実行するか否かの抽選を行う抽選手段と、
Ｂ　前記抽選が行われると、前記抽選結果に基づいて、複数種類の図柄が変動表示された後に停止表示される抽選演出の抽選演出パターンを複数の抽選演出パターンの中から決定する抽選演出パターン決定手段と、
Ｃ　前記抽選演出パターン決定手段によって決定された抽選演出パターンに基づく抽選演出を画像出力装置において行う演出制御手段と、備え、
Ｄ　前記抽選演出パターンには、その抽選演出パターンに基づく１回の抽選演出において前記図柄が変動表示してから停止するまでの間に、変動表示している図柄が擬似的に停止した後に再変動する再変動演出を所定回数実行する擬似連続予告を行う特定の抽選演出に対応する特定の抽選演出パターンがあり、
Ｅ　前記特定の抽選演出パターンには、前記再変動演出の実行回数が異なる複数種類の特定の抽選演出パターンがあり、
Ｆ’前記演出制御手段は、前記特定の抽選演出パターンに決定された場合、前記再変動演出において、仮停止図柄を擬似的に停止させ、該仮停止図柄を擬似的に停止させた後に、前記仮停止図柄とは異なる態様の画像の表示を伴い、前記再変動演出が実行された回数を示唆する特別演出を行い、前記仮停止図柄を再変動させ、
Ｇ’前記再変動演出が実行された回数に応じて、前記特別演出の演出態様が発展する遊技機。」
である点で一致し、構成Ｆ’、Ｇ’に関する以下の点で相違する。
（相違点１）
　「擬似的に停止させ」、「擬似的に停止させた後に」「再変動させ」られる「仮停止図柄」について、本願発明では、「前記擬似連続予告が継続することを示唆する特定図柄」であるのに対して、引用発明では、「７」などの通常の図柄である点。（Ｆ’）
（相違点２）
　本願発明では、「前記再変動演出が実行された回数に関わらず、前記特定図柄の演出態様は一定である」のに対して、引用発明では、「特定図柄」に関連する構成を有しない点。（Ｇ’）
（相違点３）
　「前記仮停止図柄を再変動させ」るタイミングについて、本願発明では、「該特別演出の後」であるのに対して、引用発明では、そのような構成であるか否か明らかでない点。（Ｆ’）
４　判断
　まず相違点１について検討する。
　疑似連続予告を行う遊技機において、擬似連続予告が継続することを示唆する特定図柄を擬似的に停止させ、該特定図柄を擬似的に停止させた後に、前記特定図柄を再変動させ、再変動演出が実行された回数に関わらず前記特定図柄の演出態様が一定であるようにすることは、例えば特開２００７−１９０４２１号公報（左図柄、中図柄、右図柄のそれぞれにリプレイ図柄「ｒｅｐ」が停止表示された場合には、所定時間経過後に、左図柄、中図柄、右図柄が再変動される点。段落【００３９】、図５（ｂ）等を参照。）、特開２０００−８４１８２号公報（最終停止図柄を再変動させる表示制御が実行されることを遊技者に告げるリプレイ図柄「Ｒｅｐｌａｙ」が停止表示される点。段落【０１６１】、【０１６３】、図２６等を参照。）、引用文献２（記載事項については、「第２［理由］３（１）（１−２）引用文献２」を参照。）等にも記載されているように本願の原出願の出願前に周知の技術（以下、「周知技術」という。）である。
　また、上記の周知技術においては、特定図柄の停止により、遊技者は疑似連続予告の継続を知ることができるため、遊技の興趣向上が図られることは、当業者にとって自明の事項である。
　そして、引用発明と上記周知技術とは、疑似連続予告を行う遊技機に関する点で共通するものであり、引用発明も遊技者が疑似連続予告の継続を知ることができれば遊技の興趣向上を図ることができるものであることは明らかであるから、引用発明の遊技機において、「仮停止図柄」である左図柄、中図柄、右図柄のいずれか１つ以上を、上記周知技術における「擬似連続予告が継続することを示唆する特定図柄」として、相違点１に係る本願発明の構成とすることは、当業者が容易に想到できたことである。
　次に相違点２について検討する。
　上述のとおり、上記の周知技術において、再変動演出が実行された回数に関わらず特定図柄の演出態様は一定である。
　そうすると、相違点１について検討したとおり、引用発明の遊技機において、「仮停止図柄」である左図柄、中図柄、右図柄のいずれか１つ以上を、上記周知技術における「擬似連続予告が継続することを示唆する特定図柄」とするにあたり、当該「特定図柄」を、上記周知技術のように、再変動演出が実行された回数に関わらず演出態様が一定であるものとして、相違点２に係る本願発明の構成とすることは、当業者が容易に想到できたことである。
　続いて相違点３について検討する。
　上記（１−ケ）の記載事項によれば、引用文献１の段落【０１６７】には、図２２に記載されたキャラクタ画像例の説明として、５種類の異なるキャラクタ画像６ｈ１〜６ｈ５を用意し、各キャラクタ画像６ｈ１〜６ｈ５を再変動表示回数と対応させ、対応するキャラクタ画像６ｈ１〜６ｈ５を再変動表示が行われる前に表示させること、これによって、再変動表示の予告の報知を行うことができることが記載されている。
　また、上記（１−コ）の記載事項によれば、引用文献１の段落【０１７０】には、図２３に記載された再変動表示の際の画像表示例の説明として、最初に再変動表示が行われる際、仮停止の状態において５体のキャラクタ画像が表示されていることが記載されている。そして、仮停止の状態、すなわち、再変動表示が行われる前にキャラクタ画像が表示されることから、上記（１−ケ）の記載事項の場合と同様に、再変動表示の予告の報知を行うことができることは明らかである。
　したがって、本願発明の用語を用いて表現すると、引用文献１には、図柄の再変動の前に特別演出を行い、再変動の予告の報知を行うことが記載されているといえる。
　そうすると、引用発明において、再変動の予告の報知を行い、遊技者が疑似連続予告の継続をより確実に知ることができるように、上記相違点１について検討した「特定図柄」の停止表示に加えて、引用文献１の記載事項に基づき、図柄の再変動の前に特別演出を行う、すなわち、特別演出の後に図柄を再変動させるようにして、相違点３に係る本願発明の構成とすることは、当業者が容易に想到できたことである。
　そして、本願発明の作用効果も、引用発明、引用文献１の記載事項及び周知技術から当業者が予測できる範囲のものであり、格別顕著なものとはいえない。
　したがって、本願発明は、引用発明、引用文献１の記載事項及び周知技術に基づいて当業者が容易に発明をすることができたものである。
５　むすび
　以上のとおり、本願発明は、特許法第２９条第２項の規定により特許を受けることができないものである。
　したがって、その余の請求項について検討するまでもなく、本願は拒絶すべきものである。
　よって、結論のとおり審決する。